(57)【要約】      （修正有）【課題】水中ウォーキング等の運動の際に、足の保護の目的で使用するプールソックス内に、水が浸透し不快感を生じ、かつ身体の活発な動きを妨げるのを防止するため、履物内に浸入し滞留している水を、足の動きにより排除することを可能にするプールソックスを提供する。【解決手段】耐塩素性を有する弾性糸により編成された、口ゴム部２ａ，踵部３，爪先部６，足部４を有するプールソックスにおいて、滞留水排出口８を、口ゴム部２ａ，爪先部６以外の部位の編地に配し、使用する弾性糸を、ゴム糸又は耐塩素性を有するポリウレタン弾性糸の芯糸に、ナイロン繊維糸又はポリエステル繊維糸をカバリングしたものである。【選択図】図１
0003173093.tif 000002
【実用新案登録請求の範囲】
【請求項１】
耐塩素性を有する弾性糸により編成された、穿口部，踵部，爪先部，足部を有するプールソックスにおいて、滞留水排出口を、口ゴム部，爪先部以外の部位の編地に配したことを特徴とするプールソックス。
【請求項２】
弾性糸は、ゴム糸又は耐塩素性を有するポリウレタン弾性糸の芯糸に、ナイロン繊維糸又はポリエステル繊維糸をカバリングしたことを特徴とする請求項１記載のプールソックス。
【請求項３】
滞留水排出口は編成された生地を裁断し、裁断端縁部にほつれ止め処理を施したことを特徴とする請求項１記載のプールソックス。
【請求項４】
穿口部に続く踵部，爪先部，足部よりなるプールソックスの、足部に環状に編成された足底開口部を設け、該足底開口部を滞留水排出口としたことを特徴とする請求項１記載のプールソックス。
【請求項５】
足部底面に滑り防止用樹脂膜を設けたことを特徴とする請求項１記載のプールソックス。
【考案の詳細な説明】
【技術分野】
【０００１】
本考案は、プールにおいて水中ウォーキング，水中エクササイズを行う際に着用するプールソックスに関する。
【背景技術】
【０００２】
近時、体力の保持・健康増進の目的で水中ウォーキング，水中エクササイズが盛んである。この運動の際に裸足では水中やプールサイドで足が滑りやすく、それを防止する目的でプールソックス等の履物を着用することが多いが、水中で履物を着用した場合、暫々水中での運動中履物の中に水が浸透し足と履物生地の間に水が滞留し履物の着用感を悪くするとともに運動の障害にもなっていた。
【０００３】
通常、靴等を穿いて、或は室内では穿かないで使用する靴下にあっては、使用中に体温等の上昇を原因とする発汗などにより靴下が蒸れることがあるが、これを防止し、靴下の通気性を高める目的で爪先寄り部分の足指部分の生地を薄編地としたもの（特許文献１）、或は、爪先部の足指の付根部の蒸れをなくすことを目的に足指の付根部位の生地に開口部を設けたもの（特許文献２）などが知られている。然し、これらの靴下を水中ウォーキングの如く、水中で使用した場合、生地を薄くしても、薄い生地の部分も水の流出に対しては抵抗を生じ、足の踏圧での靴下外部への満足した水の流出を得ることは出来にくい。
【０００４】
また、爪先の指の付根部分の足底部に位置する開口には、足を踏み出し着地するときは足底面により閉じられてしまい靴下内部の水は、肌と靴下生地との間を足部側部或は足胛部の方に流れ、靴下の生地と肌の間に滞留した水は、水中での歩行によっても靴下足底部の開口から靴下外部に流出し難いものである。
【先行技術文献】
【特許文献】
【０００５】
【特許文献１】登録実用新案第３１３１０３６号公報
【特許文献２】特開平５−１３２８０２号公報
【考案の概要】
【考案が解決しようとする課題】
【０００６】
本考案は、水中ウォーキング，水中エクササイズ等の運動を行う際に、身体の保温、足の保護などの目的で使用するプールソックス内に、水が浸透し不快感を生ずると共に身体の活発な動きを妨げるのを防止するため、プールソックス内に浸入し足部の肌とソックス生地との間に滞留している水を、足の動きにつれ排除することが出来るようにすることを特徴としている。
また、本考案プールソックスは水中における運動，プールサイドにおける行動などによって、吸水したプールソックス生地がプールの水に含まれている塩素により影響を受けることのないよう耐塩素性を持たせたことを特徴としている。
更にプールサイドを移動中などに、プールソックス生地の含水により生地自体が滑り易くなるのを防止するために足底面に適宜柄で滑り止め被膜を塗着したことを特徴とする。
【課題を解決するための手段】
【０００７】
本願の請求項１に係るプールソックスは、耐塩素性を有する弾性糸により編成された、穿口部，踵部，爪先部，足部を有するプールソックスにおいて、滞留水排出口を、口ゴム部，爪先部以外の部位の編地に配している。
請求項２に係るプールソックスは、請求項１記載のプールソックスにおいて、使用する弾性糸を、ゴム糸又は耐塩素性を有するポリウレタン弾性糸の芯糸に、ナイロン繊維糸又はポリエステル繊維糸をカバリングしたものとしている。
請求項３に係るプールソックスは、請求項１記載のプールソックスにおいて、滞留水排出口を筒状に編成された生地を裁断し、裁断端縁部にほつれ止め処理を施したものとしている。
請求項４に係るプールソックスは、請求項１記載のプールソックスにおいて、環状に編成した穿口部に続いて上部リング部，踵部，中央リング部，下部リング部，足底開口縁と連続して編成してなる足部開口縁の足底開口部を滞留水排出口としたものとしている。
請求項５に係るプールソックスは、請求項１記載のプールソックスにおいて、足部底面に滑り止め用樹脂膜を設けたものとした。
【考案の効果】
【０００８】
本考案プールソックスは、水中ウォーキングなどで水中を歩行する際に着用すると、プールソックス内に浸透し肌とプールソックス生地との間に位置する水は、歩行時足踏みにより足底に圧迫を受け、足底開口部からプールソックス外部に流出し、或は、滞留水は生地と肌の間を移動し、足部側面の生地に設けてある開口からプールソックス外に排出され、結果的にプールソックス内への水の滞留は解消される。これにより水中でのプールソックス着用により生ずるプールソックス生地と肌との間に滞留する水を原因とする不快感をなくすることが出来る。
【０００９】
本考案プールソックスは、足部底面に樹脂膜等の滑り止め部材を設けてあるために、プールサイドの如き濡れた場所でも滑る危険がない。
更に、生地に使用する糸に耐塩素性の糸を用いているためにプールの水に含まれている塩素に対し耐久性を発揮できる。
【図面の簡単な説明】
【００１０】
【図１】本考案プールソックスの第１実施例の側面図。
【図２】本考案プールソックスの第２実施例を着用した状態を示す底面図。
【図３】上記第２実施例のプールソックスの非着用時の側面図。
【考案を実施するための形態】
【００１１】
本考案プールソックス１の実施の形態を図面と共に説明する。
本考案プールソックス１は、短靴下，長靴下等何れでも差し支えないが、図１に示す例はアンクル丈のもので、穿口部２ａとそれに続く一連の身編部２ｂから編成を開始し、Ｙ字ヒールの踵部３，筒状の足部４と続いて編成し、筒状の足部４の編成終了端縁を縫着５することによって筒状体を閉じ爪先部６としている。
そして、足部４の側面７に開口８を設ける。
【００１２】
上記開口８は，筒状に足部４を編成した後、適宜手段で編地を切除し或はスリットを入れて形成する。
図示の例では開口８の形状は菱形であるが、特にその形にはこだわらない。また、開口部８の端縁部には適宜ほつれ止め等の処理を行っている。
【００１３】
次に、プールソックス５０の第２の実施例について図２，図３と共に説明する。
丸編機により環状に編成された穿口部５１に続いて若干コースの上部環状編地５２を編成し、次に該上部環状編地５２のほぼ半ウエールに相当する編地で踵部５３を編成する。踵部５３の形状はＹヒール等適宜の形状で差し支えない。
そして、該踵部５３及び上部環状編地５２に続いて中央環状編地５４を環状に編成する。次に、前記踵部５３を編成しなかった針で中央リング部５４に続き爪先部５５を踵部５３と同様手段で編成し、引き続き爪先部５５と中央環状編地５４に続く下部環状編地５６と足底開口縁５７とを編成する。この編成により両端が開放された筒状体の編地が形成され、該筒状体編地の中間に位置する踵部５３と爪先部５５の対のポケットの一方の踵部５３に踵を、もう一方の爪先部５５に爪先を挿入する穿き方を行えば、着用時、足底に足底開口縁５７が位置することになり、足底開口縁５７で囲われた足底開口部５８を滞留水排水口として有するプールソックスを得ることが出来る。
【００１４】
第２実施例のプールソックス５０は、穿口部５１から編み始め、足底開口縁５７を編み終わりとして筒状体を編成し、その途次踵部５３，爪先部５５を形成している。そして着用時、穿口部５１から足を挿入し、爪先を爪先部５５に、踵を踵部５３にそれぞれ位置させ着用すると足底開口部５８は足底部に位置して滞留水排水口としての役目を担うことになる。
上記の編成例では、穿口部５１から編成を開始し足底開口部５８で編成を終了しているが、筒状編地の編成をこの逆に行なっても差し支えない。
足底開口部５８の周囲の生地には滑り止めの被膜５９が適宜柄で塗着されている。
【００１５】
本考案プールソックスを着用して水中での運動を行った場合、必然的にプールソックス内部に水は浸透し肌とプールソックス生地との間に滞留し、不快感を生ずるが、歩行その他の足の動きによる体重の移動によって、プールソックスの底部に対する加圧の変動が生じ、それがポンピング作用となり加圧された水は肌と生地の間を通りプールソックス側面７の開口８からプールソックス１外に排除される。
【符号の説明】
【００１６】
１    プールソックス
２ａ  穿口部
２ｂ  身編部
３    踵部
４    足部
５    縫着
６    爪先部
７    側面
８    開口 
５０  プールソックス
５１  穿口部
５２  上部環状編地
５３  踵部
５４  中央環状編地
５５  爪先部
５６  下部環状編地
５７  足底開口縁
５８  足底開口部
【図１】
0003173093.tif 000003
【図２】
0003173093.tif 000004
【図３】
0003173093.tif 000005
【手続補正書】
【提出日】平成23年11月16日(2011.11.16)
【手続補正１】
【補正対象書類名】実用新案登録請求の範囲
【補正対象項目名】全文
【補正方法】変更
【補正の内容】
【実用新案登録請求の範囲】
【請求項１】
耐塩素性を有する弾性糸により編成された、口ゴム部，踵部，爪先部，足部を有するプールソックスにおいて、滞留水排出口を、口ゴム部，爪先部以外の部位の編地に配したことを特徴とするプールソックス。
【請求項２】
弾性糸は、ゴム糸又は耐塩素性を有するポリウレタン弾性糸の芯糸に、ナイロン繊維糸又はポリエステル繊維糸をカバリングしたものであることを特徴とする請求項１記載のプールソックス。
【請求項３】
滞留水排出口は編成された生地を裁断し、裁断端縁部にほつれ止め処理を施したものであることを特徴とする請求項１記載のプールソックス。
【請求項４】
口ゴム部に続く踵部，爪先部，足部よりなるプールソックスの、足部に環状に編成された足底開口部を設け、該足底開口部を滞留水排出口としたことを特徴とする請求項１記載のプールソックス。
【請求項５】
足部底面に滑り防止用樹脂膜を設けたことを特徴とする請求項１記載のプールソックス。
【手続補正２】
【補正対象書類名】明細書
【補正対象項目名】０００７
【補正方法】変更
【補正の内容】
【０００７】
本願の請求項１に係るプールソックスは、耐塩素性を有する弾性糸により編成された、口ゴム部，踵部，爪先部，足部を有するプールソックスにおいて、滞留水排出口を、口ゴム部，爪先部以外の部位の編地に配している。
請求項２に係るプールソックスは、請求項１記載のプールソックスにおいて、使用する弾性糸を、ゴム糸又は耐塩素性を有するポリウレタン弾性糸の芯糸に、ナイロン繊維糸又はポリエステル繊維糸をカバリングしたものとしている。
請求項３に係るプールソックスは、請求項１記載のプールソックスにおいて、滞留水排出口を筒状に編成された生地を裁断し、裁断端縁部にほつれ止め処理を施したものとしている。
請求項４に係るプールソックスは、請求項１記載のプールソックスにおいて、環状に編成した口ゴム部に続いて上部リング部，踵部，中央リング部，下部リング部，足底開口縁と連続して編成してなる足部開口縁の足底開口部を滞留水排出口としたものとしている。
請求項５に係るプールソックスは、請求項１記載のプールソックスにおいて、足部底面に滑り止め用樹脂膜を設けたものとした。
【手続補正３】
【補正対象書類名】明細書
【補正対象項目名】００１１
【補正方法】変更
【補正の内容】
【００１１】
本考案プールソックス１の実施の形態を図面と共に説明する。
本考案プールソックス１は、短靴下，長靴下等何れでも差し支えないが、図１に示す例はアンクル丈のもので、口ゴム部２ａとそれに続く一連の身編部２ｂから編成を開始し、Ｙ字ヒールの踵部３，筒状の足部４と続いて編成し、筒状の足部４の編成終了端縁を縫着５することによって筒状体を閉じ爪先部６としている。
そして、足部４の側面７に開口８を設ける。
【手続補正４】
【補正対象書類名】明細書
【補正対象項目名】００１３
【補正方法】変更
【補正の内容】
【００１３】
次に、プールソックス５０の第２の実施例について図２，図３と共に説明する。
丸編機により環状に編成された口ゴム部５１に続いて若干コースの上部環状編地５２を編成し、次に該上部環状編地５２のほぼ半ウエールに相当する編地で踵部５３を編成する。踵部５３の形状はＹヒール等適宜の形状で差し支えない。
そして、該踵部５３及び上部環状編地５２に続いて中央環状編地５４を環状に編成する。次に、前記踵部５３を編成しなかった針で中央環状編地５４に続き爪先部５５を踵部５３と同様手段で編成し、引き続き爪先部５５と中央環状編地５４に続く下部環状編地５６と足底開口縁５７とを編成する。この編成により両端が開放された筒状体の編地が形成され、該筒状体編地の中間に位置する踵部５３と爪先部５５の対のポケットの一方の踵部５３に踵を、もう一方の爪先部５５に爪先を挿入する穿き方を行えば、着用時、足底に足底開口縁５７が位置することになり、足底開口縁５７で囲われた足底開口部５８を滞留水排水口として有するプールソックスを得ることが出来る。
【手続補正５】
【補正対象書類名】明細書
【補正対象項目名】００１４
【補正方法】変更
【補正の内容】
【００１４】
第２実施例のプールソックス５０は、口ゴム部５１から編み始め、足底開口縁５７を編み終わりとして筒状体を編成し、その途次踵部５３，爪先部５５を形成している。そして着用時、口ゴム部５１から足を挿入し、爪先を爪先部５５に、踵を踵部５３にそれぞれ位置させ着用すると足底開口部５８は足底部に位置して滞留水排水口としての役目を担うことになる。
上記の編成例では、口ゴム部５１から編成を開始し足底開口部５８で編成を終了しているが、筒状編地の編成をこの逆に行なっても差し支えない。
足底開口部５８の周囲の生地には滑り止めの被膜５９が適宜柄で塗着されている。
【手続補正６】
【補正対象書類名】明細書
【補正対象項目名】００１６
【補正方法】変更
【補正の内容】
【００１６】
１    プールソックス
２ａ  口ゴム部
２ｂ  身編部
３    踵部
４    足部
５    縫着
６    爪先部
７    側面
８    開口 
５０  プールソックス
５１  口ゴム部
５２  上部環状編地
５３  踵部
５４  中央環状編地
５５  爪先部
５６  下部環状編地
５７  足底開口縁
５８  足底開口部